【手続補正書】
【提出日】平成19年10月11日(2007.10.11)
【手続補正１】
【補正対象書類名】特許請求の範囲
【補正対象項目名】全文
【補正方法】変更
【補正の内容】
【特許請求の範囲】
【請求項１】
少なくとも一つのナビゲーションディレクトリと、ストリームディレクトリと、補助ディレクトリとを記録する記録領域を含み、
前記ストリームディレクトリは、メインデータのストリームファイルを少なくとも一つと、補充データのストリームファイルを少なくとも一つ含み、
前記補助ディレクトリは、補充データに関連する補助データの補助ファイルを少なくとも一つ含み、前記補助ファイルは、前記ストリームファイルのファイル名拡張子と異なるファイル名拡張子を有し、
前記ナビゲーションディレクトリは、前記メインデータ及び前記補充データを再生するためのナビゲーション情報を含むことを特徴とする記録媒体。
【請求項２】
前記ストリームファイルは、同一のファイル名拡張子を有することを特徴とする請求項１に記載の記録媒体。
【請求項３】
前記ストリームファイルは、ＭＰＥＧ２規格によってフォーマットされたデータを含むことを意味するファイル名拡張子を有することを特徴とする請求項２に記載の記録媒体。
【請求項４】
前記メインデータは、オーディオデータ及び映像データであることを特徴とする請求項１に記載の記録媒体。
【請求項５】
前記補充データは、インタラクティブグラフィックデータであることを特徴とする請求項１に記載の記録媒体。
【請求項６】
前記補助データは、サウンドデータであることを特徴とする請求項５に記載の記録媒体。
【請求項７】
前記補充データは、テキストサブタイトルデータであることを特徴とする請求項１に記載の記録媒体。
【請求項８】
前記補助データは、フォントデータであることを特徴とする請求項７に記載の記録媒体。
【請求項９】
前記補助データは、サウンドデータ及びフォントデータの一つであることを特徴とする請求項１に記載の記録媒体。
【請求項１０】
前記ナビゲーションデータは、前記メインデータ及び前記補充データの属性を指示することを特徴とする請求項１に記載の記録媒体。
【請求項１１】
前記ナビゲーション情報は、前記補助ファイルに関する情報を提供しないことを特徴とする請求項１に記載の記録媒体。
【請求項１２】
前記ナビゲーションディレクトリは、少なくとも一つのプレイリストファイルを含むプレイリストディレクトリであり、前記プレイリストファイルは、前記メインデータを再生するためのナビゲーション情報を提供する少なくとも一つのプレイアイテムを含むことを特徴とする請求項１に記載の記録媒体。
【請求項１３】
前記プレイリストファイルは、前記補充データを再生するためのナビゲーション情報を提供する少なくとも一つのサブパスをさらに含むことを特徴とする請求項１２に記載の記録媒体。
【請求項１４】
前記サブパスは、サブパスタイプを指示するタイプ指示子を含むことを特徴とする請求項１３に記載の記録媒体。
【請求項１５】
前記サブパスは、少なくとも一つのサブプレイアイテムを含み、前記サブプレイアイテムは、前記補充データを再生するためのナビゲーション情報を含むことを特徴とする請求項１３に記載の記録媒体。
【請求項１６】
前記記録領域は、ナビゲーションディレクトリとしてクリップ情報ディレクトリを含み、前記クリップ情報ディレクトリは、前記ストリームディレクトリ内のそれぞれのストリームファイルに関連するクリップ情報ファイルを含み、前記クリップ情報ファイルはそれぞれ、関連したストリームファイルに関する情報を提供することを特徴とする請求項１５に記載の記録媒体。
【請求項１７】
前記プレイアイテム及び前記サブプレイアイテムはそれぞれ、前記関連したクリップ情報ファイルを識別することを特徴とする請求項１６に記載の記録媒体。
【請求項１８】
前記クリップ情報ディレクトリは、前記補助ファイルに関連したクリップ情報ファイルを含まないことを特徴とする請求項１６に記載の記録媒体。
【請求項１９】
前記記録領域は、ナビゲーションディレクトリとしてクリップ情報ディレクトリを含み、前記クリップ情報ディレクトリは前記ストリームディレクトリ内のそれぞれのストリームファイルに関連するクリップ情報ファイルを含み、前記クリップ情報ファイルはそれぞれ、関連したストリームファイルに対する情報を提供することを特徴とする請求項１に記載の記録媒体。
【請求項２０】
前記クリップ情報ディレクトリは、前記補助ファイルに関連したクリップ情報ファイルを含まないことを特徴とする請求項１９に記載の記録媒体。
【請求項２１】
少なくとも一つのナビゲーションディレクトリと、ストリームディレクトリと、補助ディレクトリとを格納する記録領域を含み、
前記ストリームディレクトリは、少なくとも映像データを含むストリームファイルを格納するためのもので、
前記補助ディレクトリは、サウンドファイル及びフォントファイルのうち少なくとも一つを格納するためのもので、
前記ナビゲーションディレクトリは、前記ストリームファイル内のデータの再生に使用されるナビゲーション情報を格納するためのものであることを特徴とする記録媒体。
【請求項２２】
前記ストリームディレクトリは、さらに補充データストリームファイルを格納するためのもので、
前記補助ディレクトリは、前記補充データストリームファイルの少なくとも一つの補充データに関連したサウンドデータ及びフォントデータのうち少なくとも一つを格納するためのものであることを特徴とする請求項２１に記載の記録媒体。
【請求項２３】
前記ストリームファイルは、ＭＰＥＧ２フォーマットデータであることを特徴とする請求項２１に記載の記録媒体。
【請求項２４】
前記補助ファイルは、前記ストリームファイルのファイル名拡張子と異なるファイル名拡張子を有することを特徴とする請求項２１に記載の記録媒体。
【請求項２５】
記録媒体上にさまざまなデータストリームの再生を管理するデータ構造を記録するための方法において、
記録媒体上に少なくとも一つのナビゲーションディレクトリと、ストリームディレクトリと、補助ディレクトリとを記録する段階を含み、
前記ストリームディレクトリは、メインデータのストリームファイルを少なくとも一つ及び補充データのストリームファイルを少なくとも一つ含み、
前記補助ディレクトリは、前記補充データに関連する補助データの補助ファイルを少なくとも一つ含み、前記補助ファイルは、前記ストリームファイルのファイル名拡張子と異なるファイル名拡張子を有し、
前記ナビゲーションディレクトリは、前記メインデータ及び補充データを再生するためのナビゲーション情報を含むことを特徴とするデータ構造記録方法。
【請求項２６】
記録媒体にデータを記録するために光記録装置を駆動する駆動部と、
前記記録媒体に少なくとも一つのナビゲーションディレクトリ、ストリームディレクトリ及び補助ディレクトリを記録するために前記駆動部を制御する制御部と、を含み、
前記ストリームディレクトリは、メインデータのストリームファイルを少なくとも一つ及び補充データのストリームファイルを少なくとも一つ含み、
前記補助ディレクトリは、前記補充データに関連する補助データの補助ファイルを少なくとも一つ含み、前記補助ファイルは、前記ストリームファイルのファイル名拡張子と異なるファイル名拡張子を有し、
前記ナビゲーションディレクトリは、前記メインデータ及び前記補充データを再生するためのナビゲーション情報を含むことを特徴とする記録装置。
【請求項２７】
メインデータの再生の前に、少なくとも一つのナビゲーションディレクトリと、ストリームディレクトリの一部と、補助ディレクトリとを前記記録媒体からメモリにローディングする段階を含み、
前記ストリームディレクトリは、メインデータのストリームファイルを少なくとも一つ及び補充データのストリームファイルを少なくとも一つ含み、
前記補助ディレクトリは、前記補充データに関連する補助データの補助ファイルを少なくとも一つ含み、
前記ナビゲーションディレクトリは、前記メインデータ及び前記補充データを再生するためのナビゲーション情報を含むことを特徴とするデータ構造再生方法。
【請求項２８】
前記補充データはテキストサブタイトルデータであり、前記補助データはフォントデータであることを特徴とする請求項２７に記載の再生方法。
【請求項２９】
前記記録媒体に記録されたデータを再生するために光再生装置を駆動する駆動部と、
メモリと、
メインデータの再生の前に、少なくとも一つのナビゲーションディレクトリと、ストリームディレクトリの一部と、補助ディレクトリとを前記記録媒体からメモリにローディングする制御部と、を含み、
前記ストリームディレクトリは、メインデータのストリームファイルを少なくとも一つ及び補充データのストリームファイルを少なくとも一つ含み、
前記補助ディレクトリは、前記補充データに関連する補助データの補助ファイルを少なくとも一つ含み、
前記ナビゲーションディレクトリは、前記メインデータ及び前記補充データを再生するためのナビゲーション情報を含むことを特徴とする再生装置。
【請求項３０】
前記補充データはテキストサブタイトルデータであり、前記補助データはフォントデータであることを特徴とする請求項２９に記載の再生装置。